(57)【特許請求の範囲】
【請求項１】
直交周波数分割多重信号を複数のアンテナで受信するデジタル放送受信機において、
前記複数のアンテナで受信された信号の可変遅延手段と、
前記可変遅延手段からの信号を合成する合成手段と、
該合成された信号を復調する直交周波数分割多重信号復調手段と、
該復調された信号を復号する復号手段と、
前記複数のアンテナで受信された信号から重み係数を求める係数計算手段と、を具備し、
前記可変遅延手段は、別途入力された制御信号により、遅延時間の変化する速度を制御し、
前記係数計算手段は、前記複数のアンテナからの受信信号の共分散行列を求め、その行列の最大の固有値に対する固有ベクトルを重み係数とすることを特徴とするデジタル放送受信機。
【請求項２】
同一の局を選局する複数の選局手段と、
前記複数の選局手段に共通の単一の局部発振手段と、を備えることを特徴とする請求項１に記載のデジタル放送受信機。
【請求項３】
前記可変遅延手段は、誘電体素子で構成され、電圧制御で誘電率を変化させることを特徴とする請求項１または請求項２に記載のデジタル放送受信機。
【発明の詳細な説明】
【０００１】
【発明の属する技術分野】
本発明はデジタル放送受信装置に関し、特に、移動受信や携帯受信等、受信環境が悪い状況での使用に好適に利用できるデジタル放送受信装置に関するものである。
【０００２】
【従来の技術】
地上デジタル放送ではＳＦＮ（Ｓｉｎｇｌｅ  Ｆｒｅｑｕｅｎｃｙ  Ｎｅｔｗｏｒｋ）、ＭＦＮ（Ｍｕｌｔｉ  Ｆｒｅｑｕｅｎｃｙ  Ｎｅｔｗｏｒｋ）や帯域の有効利用の実現の為にデジタル化が行われている。これによると６ＭＨｚの地域を用いてＨＤＴＶなら１番組、ＳＤＴＶなら３番組の放送が可能となる。同時に高音質名放送やデータ放送も実現する。
【０００３】
デジタル放送では映像／音声情報をＭＰＥＧ２方式により圧縮し、さらに圧縮された映像、音声情報、データ放送を多重し、トランスポートストリーム（ＴＳ）を生成する。生成されたＴＳ信号はデジタル変調方式により、伝送される。
【０００４】
地上デジタル放送の場合、伝送方式として欧州ではＣＯＦＤＭ（Ｃｏｄｅｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、日本ではＢＳＴ−ＯＦＤＭ（Ｂａｎｄ  Ｓｅｇｍｅｎｔｅｄ  Ｔｒａｎｓｍｉｓｓｉｏｎ−  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式が採用されており、どちらも直交周波数分割多重方式（ＯＦＤＭ方式）が基本となっている。ＯＦＤＭ方式は複数のキャリアを同時に用いたマルチキャリア伝送方式であり、それぞれのキャリアは互いに直交しており、ＤＱＰＳＫ、ＱＰＳＫ、１６ＱＡＭ、６４ＱＡＭ、で変調されている。使用されるキャリア数は国内の地上デジタル放送では約１４００本？５６００本で、ＯＦＤＭ変調及びＯＦＤＭ復調にはそれぞれ逆フーリエ変換及びフーリエ変換により行われる。
【０００５】
実際の送信機及び受信機では２Ｋポイント〜８ＫポイントのＩ−ＤＦＴ（Ｉｎｖｅｒｓｅ  −  Ｄｉｓｃｒｅｔｅ  Ｆｏｕｒｉｅｒ  Ｔｒａｎｓｆｏｒｍａｔｉｏｎ）処理、ＤＦＴ（Ｄｉｓｃｒｅｔｅ  Ｆｏｕｒｉｅｒ  Ｔｒａｎｓｆｏｒｍａｔｉｏｎ）処理を用いて行われている。
【０００６】
地上デジタル放送では衛星放送とは異なり、送信塔から水平に電波を発射するために建物や山等の障害物により反射波が発生し、ゴーストとなりデジタル変調信号に誤りを引き起こし、受信機では映像や音声信号の破たんを引き起こし、著しく受信品質が劣化する。ノイズによる信号の劣化は誤り訂正により訂正可能で受信機では誤りなく映像／音声が再生可能である。
【０００７】
上記に述べたようにゴーストやマルチパスによる妨害の影響を吸収するためにＯＦＤＭ方式では緩衝領域を設けて、遅延波が存在しても情報の破たんが引きおこされないようにしている。この緩衝領域のことをガードインターバルと呼ぶ。受信信号の遅延波の遅延時間がこのガードインターバルの時間を超えなければ符号間干渉が生じないため、誤り訂正回路により訂正が可能である。ガードインターバル信号は全送信信号の１／４、１／８、１／１６、１／３２と設定し、約８マイクロ秒〜２５０マイクロ秒に相当する。
【０００８】
一般に、地上放送における移動受信ではマルチパスフェージングにより選択性フェージングが発生し、デジタル変調された信号は極端に劣化し、情報の誤りを引き起こす。デジタル放送ではＢＳＴ−ＯＦＤＭ方式を採用することによりこのような誤りを少なくし、移動受信を可能にしようとしている。
【０００９】
特に、この方式は選択性フェージングが発生してもインターリーブと畳み込み符号及び誤り訂正により、劣化した信号を訂正することが可能である。
【００１０】
しかしひどい選択性や時間変動が非常に遅いマルチパスフェージング下では上記方式を用いても信号は訂正できない場合がある。
【００１１】
これらのような劣悪な伝送路に対応するために受信アンテナを複数本用いたアンテナダイバーシチが提案されている。図２は従来のアンテナを２本用いた場合のダイバーシチ受信方式を示している。
【００１２】
この方式によると放送局より送信された電波は２つのアンテナ１１ａ、ｂで受信され、チューナ２３ａ、ｂで希望の周波数が選局される。選局されたＩＦ信号はまたはベースバンド信号はアナログーデジタル変換回路（ＡＤＣ）１４ａ、ｂによりデジタル信号に変換される。デジタル化された信号はＯＦＤＭ復調器１７ａ、ｂにより復調され、復号器１８ａ、ｂにより復号される。
【００１３】
誤り率計算機２６ではそれぞれのブランチで受信され復調された信号より誤り率の計算を行い、誤りが少ないブランチを選択するように選択回路２７に制御信号を送る。復号器１８ａ、ｂで復号された信号は選択回路２７によりエラーの少ない方が選択し、ＴＳ信号を出力する。
【００１４】
以上のように復調信号のうち、エラーの少ないブランチを選択することにより移動受信のような電波環境がよくない時でも安定受信が行える。
【００１５】
しかし、上記のダイバーシチ受信方式ではそれぞれのブランチに於いて、ＯＦＤＭ復調処理が必要となり、受信システムが複雑になる欠点を有している。また、ブランチ数が増大すればする程システムが大きくなり、消費電力も増大してしまう。
【００１６】
【発明が解決しようとする課題】
以上述べたように、移動受信ではマルチパスフェージングが発生し、選択性フェージングを伴う伝送路特性となり、伝送路の周波数特性が時間とともに変動しながら劣化する。
【００１７】
ＯＦＤＭ方式ではデータをサブキャリアの分割し、符号化により誤り訂正とインターリーブを施す事でマルチパス遅延波により伝送特性が劣化しても受信データの誤りが訂正でできるようにしている。
【００１８】
しかしながら移動受信では直接波が受信できない環境や受信電界が低下する問題点があった。又、このような課題に対して複数のアンテナにより受信するアンテナダイバーシチが提案されており、マルチパスフェージングに対応する。
【００１９】
図２はＯＦＤＭ受信信号を受信する従来の空間ダイバーシチシステムの構成図を示す。
【００２０】
受信アンテナ１１ａで受信された信号は選局用のチューナ２３ａとアナログーデジタル変換器（ＡＤＣ）１４ａでデジタル信号に変換される。デジタル信号に変換された受信信号はＯＦＤＭ復調部２４ａによりＯＦＤＭ復調され、後段の復号部２５ａへ渡される。復号部２５ａでは送信側で行われた符号化の逆処理を行い信号を出力する。この出力信号は選択回路２７に渡される。同様に受信アンテナ１１ｂで受信された信号も上記処理と同様の手順に従い独立に処理される。それぞれのブランチで受信され復調された信号は選択回路２７により、サブキャリア間において最も誤りの少ないデータが選択される。
【００２１】
しかし上記のように従来のダイバーシチは複数のアンテナで受信された信号をそれぞれＯＦＤＭ復調を行い、サブチャンネル毎に最適なデータを合成する必要があった。すなわちアンテナ（ブランチ）の数だけＯＦＤＭ復調部を必要としており、回路が大規模になる欠点があり、ブランチ数の増大に伴う消費電力が増加する問題点があった。
【００２２】
本発明は、係る課題に対して複数のアンテナにより受信した信号をＯＦＤＭ復調の前に処理し合成を行う事で、ハードウエアの複雑性の増加することなく受信信号の特性を改善するＯＦＤＭの受信機を提供するものである。
【００２３】
【課題を解決するための手段】
本発明は、以上の課題を解決するために、以下のような構成とした。
【００２４】
本願の第１の発明は、直交周波数分割多重信号を複数のアンテナで受信するデジタル放送受信機において、前記複数のアンテナで受信された信号の可変遅延手段と、前記可変遅延手段からの信号を合成する合成手段と、該合成された信号を復調する直交周波数分割多重信号復調手段と、該復調された信号を復号する復号手段と、前記複数のアンテナで受信された信号から重み係数を求める係数計算手段と、を具備し、前記可変遅延手段は、別途入力された制御信号により、遅延時間の変化する速度を制御し、前記係数計算手段は、前記複数のアンテナからの受信信号の共分散行列を求め、その行列の最大の固有値に対する固有ベクトルを重み係数とすることを特徴とする。
【００２５】
本願の第２の発明は、さらに、同一の局を選局する複数の選局手段と、前記複数の選局手段に共通の単一の局部発振手段と、を備えることを特徴とする。
【００２６】
本願の第３の発明は、前記可変遅延手段は、誘電体素子で構成され、電圧制御で誘電率を変化させることを特徴とする。
【００２９】
【発明の実施の形態】
まず、本発明のデジタル放送受信機の概要について説明すると、本発明では、Ｎ個の受信アンテナにより、それぞれ独立に放送波を受信することになる。
【００３０】
それぞれの受信アンテナはＬ個のパスを持つマルチパスが到来しているとし、ｍ番目の受信アンテナに到来するｌ番目のパスの複素振幅を
【００３１】
【数１】
0003550326.tif 000002
とする。
【００３２】
このときｍ番目の受信アンテナ（ブランチ）での受信信号を
【００３３】
【数２】
0003550326.tif 000003
とすると、受信信号は
【００３４】
【数３】
0003550326.tif 000004
と書き表す事ができる。
ここで
【００３５】
【数４】
0003550326.tif 000005
はｍ番目の受信アンテナでの白色雑音である。
【００３６】
それぞれのアンテナで受信された信号は重み係数を乗算されて加算される。
加算後の受信信号を
【００３７】
【数５】
0003550326.tif 000006
とすると次式で表される。
【００３８】
【数６】
0003550326.tif 000007
ここでｍ番目のブランチの重み係数は
【００３９】
【数７】
0003550326.tif 000008
である。
【００４０】
受信機では上記受信信号をＤＦＴ処理する事で復調を行う。
したがって、ＤＦＴ出力信号を
【００４１】
【数８】
0003550326.tif 000009
とすると、受信信号は次式で表現できる。
【００４２】
【数９】
0003550326.tif 000010
各受信アンテナの重み係数の重みベクトルｗは
【００４３】
【数１０】
0003550326.tif 000011
とする。
【００４４】
本発明に係るデジタル放送受信機では、受信した各ブランチ信号をＤＦＴ前に合成し、ＤＦＴ後のＳＮＲを最大にするように重み係数を求める事になる。つまり受信信号の共分散行列を求め、その行列の最大の固有値に対する固有ベクトルを重み係数Ｗとすればよい。
【００４５】
以下、図面を参照して本発明のデジタル放送受信機の実施形態について説明する。
【００４６】
図１は本発明の第１の実施形態で、ダイバーシチＯＦＤＭ受信機のシステムの構成を示す構成図である。この例では２ブランチ（アンテナ）のダイバーシチ受信システムを示しているが、当然に、これより多いブランチのシステムでも同様に適用できる。
【００４７】
以下、動作を説明する。
【００４８】
受信アンテナ１１ａ、ｂにより受信した信号はＲＦ信号としてチューナ部１３ａ、ｂに入力する。チューナ部１３ａ、ｂでは希望するチャンネルを選局し、ＩＦ信号またはベースバンド信号を出力する。出力されたＩＦ信号またはベースバンド信号はＡＤＣ１４ａ、ｂによりサンプリング及び量子化され、デジタル信号に変換される。
【００４９】
デジタル化された受信信号は合成回路１６により重み付けされた後、加算され、復調器へ出力される。合成回路１６により加算された信号はＯＦＤＭ復調部１７にてＯＦＤＭ復調を行う。この例ではチューナ部１３ａ、ｂの出力端子よりＩＦ信号が出力する場合について説明する。ベースバンド信号出力でも同様の効果が得られる。
【００５０】
受信アンテナ１１ａ、ｂにより受信したＲＦ信号は可変遅延器１２ａ、ｂを通して受信チューナ１３ａ、ｂに入力される。ここでは、それぞれ独立に受信された信号の遅延時間を制御部２０により変化させて受信信号を生成している。また、制御部２０の遅延時間の変化量及び変化する速度は外部の制御信号入力端子２１により入力された制御信号により設定することができる。
【００５１】
受信チューナ１３ａ、ｂで選局され、ＡＤＣ１４ａ、ｂによりデジタル信号に変換された信号は、係数計算部１５により最適な各ブランチごとの重み係数を計算し、合成器１６により合成され、合成された信号はＯＦＤＭ復調部１７にて復調され、復調された信号は復号部１８にて複合処理を行い、ＴＳ信号を出力端子１９より出力する。
【００５２】
復号部１８では、送信側の処理の逆処理が行われる。すなわち周波数デインターリーブ処理、時間デインターリーブ処理、デマッピング処理、デパンクチュア処理、ビタビデコード処理、リードソロモンデコード処理、逆拡散処理等が行われて、トランスポートストリーム（ＴＳ信号）が出力される。
【００５３】
ここで、図４に図１における合成器１６のブロック図を示す。
【００５４】
図４において、ＡＤＣ１４ａ、ｂによりデジタル信号に変換された受信信号を合成部１６の内部の乗算器４１ａ、ｂにより重み係数ｗ１、ｗ２を乗算し、加算器４２で加算する。重み係数ｗ１、ｗ２は受信信号より重み係数計算部１５により求められる係数である。
【００５５】
前記合成器１６により生成された信号はＯＦＤＭ復調部により復調される。復調された信号は後段の復号部１８により復号され出力端子１９より出力される。
【００５６】
図５に図１におけるＯＦＤＭ復調部１７ブロック図を示す。
【００５７】
図５において、ＡＤＣ１４ａ、ｂの出力信号はＯＦＤＭ復調部の入力端子５１よりデジタル信号として入力され、ＩＱ復調部５２により復調されベースバンド信号に変換される。変換されたデジタルのベースバンド信号はガードインターバル除去回路５３により送信側で付加されたガードインターバル信号を除去する。
【００５８】
除去された信号は、有効シンボル信号のみとなり後段のＦＦＴ処理回路５４に渡される。ＦＦＴ処理回路５４により高速フーリエ変換が行われ、時間軸上の信号より周波数軸上の信号に変換される。変換された信号は後段の波形等化回路５５にわたされ処理される。等化されたデータは、データ出力端子５６から出力される。出力端子５６より出力された信号は、図１における復号部１８に渡され、処理される。
【００５９】
図６は、図１における可変遅延器１２ａ、ｂの素子の構造を示す図である。
【００６０】
入力端子６０より入力された信号は基板６１の上方の形成されたストリップライン６２より信号を伝達し、出力端子６３より出力する。
【００６１】
可変遅延器１２ａ、ｂはＢＳＴ（Ｂａ、Ｓｒ、Ｔｉの酸化物）や液晶を用いた誘電体６８を上部電極６６と下部電極６７ではさんだ形で構成されており、外部の制御回路６４より制御電圧を電圧入力端子６５ａ、ｂより与えることで、誘電体素子６８の誘電率を変化させ、可変遅延器１２ａ、ｂの信号伝達時間を制御するようにしている。素子は基板６９上に形成されている。
【００６２】
図７は、図１におけるチューナ部１３ａ、ｂのブロック図である。
【００６３】
受信アンテナより受信された信号は入力端子７０ａ、ｂにより入力され増幅器７２ａ、ｂにより諸所定のレベル迄増幅され乗算器７３ａ、ｂに入力され、選局用ローカル信号を分配する分配器７８からのローカル信号と乗算を行い、希望の周波数を選択する。選局用ローカル信号は選局制御部８２より指定された希望の周波数に応じてＰＬＬ回路を制御し、所定の周波数を発生する。乗算器７３ａ、ｂの出力信号は後段のフィルタ７４ａ、ｂにより希望する周波数帯のみを選択し、隣接の不要な信号成分を除去して出力する。選択された信号は後段の乗算器７５ａ、ｂにより中間周波数（ＩＦ信号）へ変換される。
【００６４】
中間周波数（ＩＦ信号）への変換用のローカル信号は信号源８１により発生し、分配器７９により分配する。生成されたＩＦ信号は増幅器７６ａ、ｂを通して最適レベル迄増幅して出力端子７７ａ、ｂより出力する。
【００６５】
図８は、図１における計数計算部１５の構成を示すブロック図である。
【００６６】
当該係数計算部１５は、最大比合成用計算部１０３と選択合成用計算部１０４と利得合成用計算部１０５の３種の計算部と、これら３種の計算部の入出力信号を切換える選択部１０２、１０７と、該選択部を制御する制御部１０６よりなる。
【００６７】
受信状態に応じてこれら３種の計算部の中から最も適切な計算部の計算結果を出力する。尚、この計算部は必要に応じて更に増やしても良い。
各ブランチの受信信号は入力端子１００ａ、ｂより入力され、受信状態に応じての係数計算方式を選択する。
【００６８】
図９は、図８における最大比合成用計算部１０３のブロック図である。
【００６９】
図８における選択部１０２で選択された信号は、まず共分散行列計算部９１により共分散行列が計算される。その結果は、固有ベクトル計算部９２により前記行列の最大の固有値に対する固有ベクトルを求められる。計算結果は出力端子９３ａ、９３ｂより出力される。
【００７０】
出力された信号は図８における選択部１０７を経由して、図４の係数入力端子４３ａ、ｂより入力され、乗算器４１ａ、ｂへ渡され、入力端子４０ａ、ｂより入力された受信信号と掛け合わされる。
【００７１】
図１０は、図８における上記選択合成用計算部１０４のブロック図である。
【００７２】
図８における選択部１０２で選択された信号は、電力計算部１１２によりそれぞれのブランチの電力を計算する。後段の比較回路１１３は前記電力計算部１１２の計算結果により最大電力を持つブランチを選択し、同時に最大電力をす有するブランチが選択できるように係数を発生し、出力端子１１４ａ、ｂより出力する。
【００７３】
図３は、本発明の第２の実施形態を示すブロック図である。
【００７４】
アンテナ１１ａ、ｂにより受信した信号は受信チューナ１３ａ、ｂにより選局され、選局され信号は遅延器３１ａ、ｂにより遅延され、ＡＤＣ１４ａ、ｂによりデジタル信号に変換された信号は係数計算部１５により最適な各ブランチごとの重み係数を計算し、合成器１６により合成され、合成された信号はＯＦＤＭ復調部１７にて復調され、復調された信号は復号部１８にて複合処理を行い、ＴＳ信号を出力端子１９より出力する。
【００７５】
ここでは、それぞれ独立に受信された信号の遅延時間を制御部２０により変化させて受信信号を生成している。また制御部２０の遅延時間の変化量及び変化する速度は外部の制御信号入力端子２１により入力された制御信号により設定することができる。
【００７６】
図１１は、本発明の第３の実施形態を示すブロック図である。
【００７７】
アンテナ１１ａ、ｂにより受信した信号は受信チューナ１３ａ、ｂにより選局され、ＡＤＣ１４ａ、ｂに入力されてデジタル信号に変換される。デジタル信号に変換された信号はそれぞれ独立に遅延器１２１ａ、ｂにより遅延される。遅延された信号は係数計算部１５により最適な各ブランチごとの重み係数を計算し、合成器１６により合成され、合成された信号はＯＦＤＭ復調部１７にて復調され、復調された信号は復号部１８にて複合処理を行い、ＴＳ信号を出力端子１９より出力する。
【００７８】
前記遅延器の遅延時間は制御部１２２により制御されており、制御部１２２の遅延時間の変化量及び変化する速度は外部の制御信号入力端子２１により入力された制御信号により設定することができる。
【００７９】
以上の本発明の説明に於いて、受信ブランチ数を２ブランチで行ったが、３ブランチ以上の構成を取ることも可能であり、その効果はブランチ数が増大するほど大きい。
【００８０】
【発明の効果】
以上説明したように、本発明の受信装置によると従来のアンテナダイバーシチの様にハードウエアが複雑にならず、移動受信時に発生するマルチパスフェージングを克服するものである。
【００８１】
本発明は将来期待されているデジタル放送や、広帯域通信等の高速移動受信を非常に効率良く実現する手段であり、小型で低消費電力な受信システムを実現することができる。
【図面の簡単な説明】
【図１】本発明の第１の実施形態におけるデジタル放送受信機の構成を示すブロック図である。
【図２】従来のデジタル放送受信機の構成を示すブロック図である。
【図３】本発明の別の第２の実施形態におけるデジタル放送受信機の構成を示すブロック図である。
【図４】本発明に係る合成器の構成を示すブロック図である。
【図５】本発明に係るＯＦＤＭ復調部の構成を示すブロック図である。
【図６】本発明に係る可変遅延器の構成を示すブロック図である。
【図７】本発明に係る選局部の構成を示すブロック図である。
【図８】本発明に係る計数部の構成を示すブロック図である。
【図９】本発明に係る計数部における最大比合成回路のの構成を示すブロック図である。
【図１０】本発明に係る計数部における選択利得合成回路の構成を示すブロック図である。
【図１１】本発明の第３の別の実施形態におけるデジタル放送受信機の構成を示すブロック図である。
【符号の説明】
１１ａ、ｂ            受信アンテナ
１２ａ、ｂ            可変遅延器
１３ａ、ｂ            選局部（チューナ）
１４ａ、ｂ            ＡＤＣ
１５  係数計算部
１６  合成部
１７  ＯＦＤＭ復調部
１８  復号部
１９  出力端子
２０  遅延制御回路
２１  制御信号入力端子
２２  共通発振器（ローカルオシレータ）
２３ａ、ｂ  チューナ
２４ａ、ｂ  ＯＦＤＭ復調部
２５ａ、ｂ  復号部
２６  誤り率計算部
２７  選択回路
２８  出力端子
３１ａ、ｂ  遅延器
３４  出力端子
４０ａ、ｂ  信号入力端子
４１ａ、ｂ  乗算器
４２  加算器
４３ａ、ｂ  係数入力端子
４４  出力端子
５１  信号入力端子
５２  ＩＱ復調回路
５３  ガードインターバル除去回路
５４  ＦＦＴ処理回路
５５  波形等化回路
５６  出力端子
５７  同期処理回路
６０  信号入力端子
６１  可変遅延器
６２  ストリップライン
６３  出力端子
６４  制御回路
６５ａ、ｂ  制御電圧印加端子
６６  上部電極
６７  下部電極
６８  誘電体素子
６９  基板
７０ａ、ｂ  入力端子
７２ａ、ｂ  増幅器
７３ａ、ｂ  第１ミキサー
７４ａ、ｂ  フィルター
７５ａ、ｂ  第２ミキサー
７６ａ、ｂ  増幅器
７７ａ、ｂ  出力端子
７８  分配器
７９  分配器
８０  ＰＬＬ回路
８１  発振器
８２  選局制御部
８３  水晶発振器
９０ａ、ｂ  入力端子
９１  共分散行列
９２  固有ベクトル計算部
９３ａ、ｂ  出力端子
１００ａ、ｂ  出力端子
１０１  制御信号入力端子
１０２  選択回路１
１０３  係数計算回路１
１０４  係数計算回路２
１０５  係数計算回路３
１０６  制御部
１０７  選択回路２
１０８ａ、ｂ  出力端子
１１０ａ、ｂ  入力端子
１１２  電力計算回路
１１３  比較回路
１１４ａ、ｂ  出力端子
１２１ａ、ｂ  遅延器
１２２  制御回路
１２３  制御端子
【図１】
0003550326.tif 000012
【図２】
0003550326.tif 000013
【図３】
0003550326.tif 000014
【図４】
0003550326.tif 000015
【図５】
0003550326.tif 000016
【図６】
0003550326.tif 000017
【図７】
0003550326.tif 000018
【図８】
0003550326.tif 000019
【図９】
0003550326.tif 000020
【図１０】
0003550326.tif 000021
【図１１】
0003550326.tif 000022